(57)【要約】【課題】微弱な電磁波から鮮明な映像を得られるようにする。【解決手段】時間分解二次元微弱光検出装置３０は、被写体３６にレーザ光３４を照射するレーザ出力部３２を有する。レンズ系４０は、被写体３６から放射された蛍光３８による被写体３６の像をマイクロミラーアレイ４２の上に結像する。マイクロミラーアレイ４２は、マトリックス状に配置した多数のミラー素子からなっている。ミラー駆動制御部４８は、駆動パターン記憶部５０からアダマール変調パターンを読み出して各ミラー素子を傾斜させ、受信部６０、６２に反射光を入射する。受信部６０、６２の出力信号は、信号処理部５２の受光検出部６４に入力し、サンプリングデータが反射光量記憶部６６に書き込まれる。映像生成部６８は、反射光量記憶部６６のデータを読み出してアダマール逆変換し、映像を生成して表示部７０に表示させる。【選択図】      図１
2004212257.tif 000002
【特許請求の範囲】
【請求項１】
被写体から放射された電磁波を二次元的に配置した多数の反射体に入射し、これら多数の反射体を予め定めた複数の組合せパターンに従って順次切り替えて駆動し、入射電磁波を２つの方向に反射させ、各方向の反射量に基づいて前記各反射体に入射した電磁波の状態を求めて映像を生成することを特徴とする時間分解二次元微弱光検出方法。
【請求項２】
請求項１に記載の時間分解二次元微弱光検出方法において、前記多数の反射体はマトリックス状に配置してあり、前記複数の組合せは直交変調パターンを構成していることを特徴とする時間分解二次元微弱光検出方法。
【請求項３】
請求項１または２に記載の時間分解二次元微弱光検出方法において、
前記電磁波は、前記被写体に照射した照射光の直接散乱光、または蛍光やラマン散乱光のような間接的な散乱光であることを特徴とする時間分解二次元微弱光検出方法。
【請求項４】
請求項１または２に記載の時間分解二次元微弱光検出方法において、
前記電磁波は、Ｘ線をシンチレータ板等で受けたとき放射する光であることを特徴とする時間分解二次元微弱光検出方法。
【請求項５】
多数のミラー素子がマトリックス状に配置され、前記被写体が放射した電磁波による像が投影されるマイクロミラーアレイと、
このマイクロミラーアレイに対して相互に異なる２方向のそれぞれに配設した一対の受信部と、
前記多数のミラー素子に対する予め定めた複数の組合せパターンを記憶した駆動パターン記憶部と、
この駆動パターン記憶部に記憶されている前記複数の組合せパターンに従って前記各ミラー素子を順次切り替えて駆動し、各ミラー素子への入射電磁波を前記各受信部側へ反射させるミラー駆動部と、
前記組合せパターンの切り替えごとに前記各受信部が受光した反射量を記憶する反射量記憶部と、
この反射量記憶部の記憶した反射量に基づいて、前記各ミラー素子への電磁波の入射状態を時間の関数として求め、映像を生成する映像生成部とを、
有することを特徴とする時間分解二次元微弱光検出装置。
【請求項６】
請求項５に記載の時間分解二次元微弱光検出装置において、
前記駆動−パターン記憶部に記憶させた前記複数の組合せパターンは、直交変調パターンを構成していることを特徴とする時間分解二次元微弱光検出装置。
【請求項７】
請求項５または６に記載の時間分解二次元微弱光検出装置において、
前記被写体に励起光を照射する照射源を有し、前記マイクロミラーアレイに入射する電磁波は、前記被写体に照射した照射光の直接散乱光、または蛍光やラマン散乱光のような間接的な散乱光であることを特徴とする時間分解二次元微弱光検出装置。
【請求項８】
請求項５または６に記載の時間分解二次元微弱光検出装置において、
前記被写体にＸ線を照射する照射源を有し、前記マイクロミラーアレイに入射する電磁波は、Ｘ線をシンチレータ板等で受けたとき放射する光であることを特徴とする時間分解二次元微弱光検出装置。
【発明の詳細な説明】
【０００１】
【発明の属する技術分野】
本発明は、時間分解二次元微弱光検出方法にかかり、特に蛍光などの微弱な電磁波に基づく映像を得るのに好適な時間分解二次元微弱光検出方法および装置に関する。
【０００２】
【従来の技術】
バイオテクノロジーや生化学などの分野においては、例えば特定のＤＮＡを検出または分析する場合、これとハイブリッドを形成するＤＮＡに蛍光プローブを添加し、レーザ光を照射して蛍光プローブから生じる蛍光の有無により行なっている。そして、従来のＤＮＡの検出における第１の方法は、マトリックス状に配置した多数のＤＮＡチップを順次走査するようにしており、検出に多くの時間を必要とする。また、各チップにレーザ光を照射する時間が短いため、レーザ光の強度を強くする必要があり、試料にダメージを与えるおそれがある。第２の方法は、一度に多数のＤＮＡチップにレーザ光などの励起光を照射し、各ＤＮＡチップから生ずる蛍光を一度に検出して二次元映像像を得る装置が開発されている。図８は、そのような装置に用いられる二次元微弱光増幅部と受光部との一例を示したものである（特許文献１）。
【０００３】
この映像装置の増幅部１０は、光１２が入射する光電面１４を備えており、光電面１４におい光１２を電子（光電子）１６に変換する。光電面１４から放射された電子１６は、マイクロチャンネルプレート（ＭＣＰ）１８において増幅（増倍）され、蛍光面２０に入射する。蛍光面２０は、入射した電子１６を光（蛍光）に変換して後段に設けた光ファイバ２２に入射する。光ファイバ２２は、蛍光面２０から放射された光２４を受光部であるＣＣＤカメラ２６に導く。ＣＣＤカメラ２６は、入射した光２４の強さに応じた電気信号を出力し、図示しない表示部に二次元映像として表示する。
【０００４】
このような映像装置の増幅部１０においては、ある時刻における映像（画像）、または所定の時間間隔ごとにおける映像を得る場合、タイムゲートと称する時間分解法が用いられる。これは、光電面１４に２００Ｖ程度の直流電圧を印加し、光電面１４から電子１６が放射されないようにするものである。しかし、時間分解の映像を得る方法としては、効率のよい方法とはいえない。
【０００５】
【特許文献１】
特開平６−１７６７１８号公報
【０００６】
【発明が解決しようとする課題】
ところで、上記の映像装置の増幅部１０と受光部であるＣＣＤカメラ２６との組合せでは、光電面１４において光１２を電子１６に変換し、さらにそれを蛍光面２０において光２４に変換したのち、再びＣＣＤカメラ２６によって光２４を電子（電気信号）への変換を行なっている。このため、映像装置の増幅部１０に入射した光１２に対する変換効率が非常に悪く、ＤＮＡから生ずる蛍光などの微弱な光に基づく映像を得ることが困難なである場合が多い。また、微細なマイクロチャンネルプレート１８の各マイクロキャピラリーと各光ファイバ２２、光ファイバ２２とＣＣＤカメラ２６の各素子とを高精度で対応させることが困難で、１つのマイクロキャピラリーから出力された電子１６が他の要素に入射するごとに、次第に周囲に拡散してＣＣＤカメラ２６へ伝達され、映像のコントラストが低下して映像がぼやける。
【０００７】
さらに、従来、ある時間間隔ごとに映像を得る場合、タイムゲート技術を採用しているが、パルス幅の短い２００Ｖのような高電圧のパルスを短い繰返し時間で発生させることが容易でない。このため、パルス間隔は、数ｎ秒程度が限界であり、１ｎ秒以下の短時間間隔の映像を得ることができない。しかも、ＣＣＤカメラ２６は、データの読出しに０．１秒ほど必要であり、短い時間間隔で映像を得ることができない。
【０００８】
本発明は、前記従来技術の欠点を解消するためになされたもので、微弱な電磁波から鮮明な映像を得られるようにすることを目的としている。
また、本発明は、容易に短い時間間隔の映像を得られるようにすることを目的としている。
【０００９】
【課題を解決するための手段】
上記の目的を達成するために、本発明に係る時間分解二次元微弱光検出方法は、被写体から放射された電磁波を二次元的に配置した多数の反射体に入射し、これら多数の反射体を予め定めた複数の組合せパターンに従って順次切り替えて駆動し、入射電磁波を２つの方向に反射させ、各方向の反射量に基づいて前記各反射体に入射した電磁波の状態を求めて映像を生成することを特徴としている。多数の反射体はマトリックス状に配置し、複数の組合せは直交変調パターンを構成することとが望ましい。電磁波は、紫外線、可視光線、赤外線などの光である。
【００１０】
そして、上記の時間分解二次元微弱光検出方法を利用した時間分解二次元微弱光検出装置は、多数のミラー素子がマトリックス状に配置され、前記被写体が放射した電磁波による像が投影されるマイクロミラーアレイと、このマイクロミラーアレイに対して相互に異なる２方向のそれぞれに配設した一対の受信部と、前記多数のミラー素子に対する予め定めた複数の組合せパターンを記憶した駆動パターン記憶部と、この駆動パターン記憶部に記憶されている前記複数の組合せパターンに従って前記各ミラー素子を順次切り替えて駆動し、各ミラー素子への入射電磁波を前記各受信部側へ反射させるミラー駆動部と、前記組合せパターンの切り替えごとに前記各受信部が受光した反射量を記憶する反射量記憶部と、この反射量記憶部の記憶した反射量に基づいて、前記各ミラー素子への電磁波の入射状態を求め、映像を生成する映像生成部と、有することを特徴としている。
【００１１】
駆動パターン記憶部に記憶させた前記複数の組合せパターンは、直交変調パターンを構成するように形成するとよい。そして、照射源を設けて被写体に励起光またはＸ線を照射することができる。この場合、マイクロミラーアレイに入射する電磁波は、被写体に照射した照射光の直接散乱光、または蛍光やラマン散乱光のような間接的な散乱光である。
【００１２】
【作用】
上記のようになっている本発明に係る時間分解二次元微弱光検出方法は、多数の反射体を複数の組合せパターンに従って順次切り替えて駆動し、入射した電磁波を２つの方向に反射させ、各方向の反射量を検出する。そして、多数の組合せパターンによって反射させた量を数学的な処理をすることにより、各反射体に入射した電磁波を求めることができ、映像を生成することができる。従って、従来のようにＭＣＰや光ファイバ、ＣＣＤカメラなどを使用する必要がなく、入射した電磁波の他の形態への変換（例えば、光−電気）に伴う信号の劣化を防ぐことができ、極めて微弱な電磁波から鮮明な二次元映像を容易に得ることができる。しかも、各マイクロミラーアレイの回転パターン（駆動）ごとに、光子の到来データを実時間で高速にサンプリングするので、ｎ秒以下の非常に短い時間間隔の二次元映像を得ることができる。従って、時間の経過に伴う被写体の動的変化を容易に把握することができる。
【００１３】
反射体をマトリックス状に配置し、反射体の組合せパターンをアダマール変調のような直交変調パターンを構成するように形成すると、受光効率を１００％にすることができ、また映像を形成するための処理が容易となり、迅速に映像を生成することができる。反射体に入射する電磁波が蛍光である場合、ＤＮＡの検出やタンパク質の検出、細胞の検出などを容易、迅速に行なえる。また、電磁波がＸ線である場合、被写体にＸ線を照射し、その反射Ｘ線をシンチレータ板などの発光体を介して検出することができる。
【００１４】
【発明の実施の形態】
本発明に係る時間分解二次元微弱光検出方法および装置の好ましい実施の形態を、添付図面に従って詳細に説明する。
図１は、本発明に係る時間分解二次元微弱光検出装置の説明図である。なお、この実施形態においては、ＤＮＡなどから放射される蛍光を検出する場合について説明する。図１において、時間分解二次元微弱光検出装置３０は、照射源となるレーザ出力部３２を有しており、所定波長のレーザ光（電磁波）３４を多数配置されたＤＮＡチップなどの被写体３６に励起光として照射できるようになっている。この被写体３６は、レーザ光３４が照射されると、原子または分子が励起されて電磁波である所定波長の蛍光３８を間接的な散乱光として放射する。そして、被写体３６の図１における下方には、レンズ系４０が設けてあり、レンズ系４０の下方に詳細を後述するマイクロミラーアレイ４２が配設してある。レンズ系４０は、被写体３６が放射した蛍光３８を集光するとともに、マイクロミラーアレイ４２の面上に蛍光３８による被写体３６の像を結像するようになっている。
【００１５】
マイクロミラーアレイ４２は、図２に示したように、反射体である多数の微小なミラー素子４４から構成してある。これらのミラー素子４４は、例えば１０μｍ×１０μｍ程度の大きさのシリコン（Ｓｉ）からなっていて、マトリックス状に配置してある。また、各ミラー素子４４は、下部に図示しないスタティックＲＡＭ（ＳＲＡＭ）が設けてあって、このＳＲＡＭに駆動情報が書き込んである。そして、各ミラー素子４４は、相互に独立して駆動（傾斜）可能となっている。すなわち、各ミラー素子４４は、図１に示したミラー駆動部４６により、それぞれが図２に示したミラー素子４４Ａ、４４Ｂのように、図２の時計方向（これを＋側とする）とその反対の反時計方向（−側）とに同じ角度傾斜し、入射した蛍光３８を２つの方向に反射することができるようにしてある。このミラー素子４４の駆動（回転）は、静電気力により行なわれる。
【００１６】
ミラー駆動部４６は、ミラー駆動制御部４８に接続してある。また、ミラー制御部４８には、駆動パターン記憶部５０が接続してある。この駆動パターン記憶部５０には、多数のミラー素子４４を予め定めた組合せによって駆動するための複数の組合せパターンが記憶させてある。これらの組合せパターンは、詳細を後述するように、直交変調パターンを構成するように形成してある。そして、ミラー駆動制御部４８は、駆動パターン記憶部５０から組合せパターン（駆動パターン）を読み出してミラー駆動部４６に駆動信号を与えるとともに、この駆動信号に同期したタイミング信号をレーザ出力部３２と、コンピュータなどからなる信号処理部５２に出力する。
【００１７】
各ミラー素子４４が傾斜して反射した蛍光（反射光）５２、５４は、レンズ系５６、５８を介して受信部６０、６２に入射するようにしてある。受信部６０、６２は、入射する反射光（蛍光）５２、５４の波長が例えば３００〜６００ｎｍ程度である場合、光電子増倍管やシリコンアバランシェフォトダイオード（Ｓｉ−ＡＰＤ）によって形成することができる。また、受信部６０、６２は、反射光５２、５４の波長が６００ｎｍ以上である場合、インジウムガリウムヒ素（ＩｎＧａＡｓ）などの化合物半導体によって構成することができる。
【００１８】
一方、信号処理部５２は、受光量（反射光量）検出部６４と、この受光量検出部６４の出力側に設けた反射光量記憶部６６、反射光量記憶部６６に接続した映像生成部６８を有している。受光量検出部６４には、受信部６０、６２の出力信号（Ｓ＋、Ｓ−）が入力するようになっている。また、反射光量記憶部６６は、ミラー駆動制御部４８の出力する信号に同期して受光量検出部６４の出力信号を記憶するようになっている。そして、映像生成部６８は、反射光量記憶部６６に書き込まれたデータに基づいて、詳細を後述するように、マイクロミラーアレイ４２に結像した像を生成して表示部７０に出力して表示させる。また、映像生成部６８は、図示しないプリンタやハードディスクなどの記憶装置に接続してある。
【００１９】
受光量検出部６４は、図３（１）に示したように、差動加算器（差動増幅器）７２と差動加算器７２の出力パルスをサンプリングするＡ／Ｄ変換器７４とから構成してある。そして、差動加算器７２の非反転入力端子には受信部６０の出力信号Ｓ＋が入力するようになっており、反転入力端子には受信部６２の出力信号Ｓ−が入力するようになっている。また、Ａ／Ｄ変換器７４の出力側には、反射光量記憶部６６が接続してある。
【００２０】
前記したように、駆動パターン記憶部５０に記憶させたミラー素子４４を駆動する各組合せパターンは、直交変調パターンを構成するように形成してある。この直交変調パターンとしては、２値直交変調パターンであるアダマール行列の各行に対応した変調パターンが適している。アダマール行列は、要素が「＋１」と「−１」とからなっていて、対角線に沿って対象位置にある要素が同じである対称行列となっている。例えば、一次のアダマール行列Ｈ（１）  を具体的に書くと、
【数１】
2004212257.tif 000003
のようになる。また、二次、三次のアダマール行列Ｈ（２）  、Ｈ（３）  は、数式２、数式３のように書くことができる。
【数２】
2004212257.tif 000004
【数３】
2004212257.tif 000005
【００２１】
すなわち、アダマール行列は、一般的に次の漸化式によって定義することができる。
【数４】
2004212257.tif 000006
ただし、数式４において、ｋは次数を示す。
【００２２】
そこで、実施形態においては、図２の時計方向に傾斜するミラー素子４４を「＋１」、反時計方向に傾斜するミラー素子を「−１」に対応させたアダマール行列に基づく組合せパターンを形成し、駆動パターン記憶部５０に記憶させてある。例えば、マイクロミラーアレイ４２が図４に示したように、８×８個のミラー素子４４によって形成してある場合、列と行との組合せパターンは、それぞれ符号７６、７８のようになる。なお、図４において斜線を施したミラー素子４４が「＋１」であり、白抜きのミラー素子４４が「−１」を表している。
【００２３】
このようになっている実施形態の時間分解二次元微弱光検出装置３０は、測定開始信号が与えられると、ミラー駆動制御部４８が駆動パターン記憶部５０から組合せパターンを順次読み出し、それに応じた駆動制御信号をミラー駆動部４６に出力する。例えば、マイクロミラーアレイ４２が図４である場合、ミラー駆動制御部４８は、まず、行または列のいずれか（例えば列とする）の０次の組合せパターンを読み出し、ミラー駆動部４６を介してマイクロミラーアレイ４２の各列のメモリに０次の組合せパターンを記憶させる。そして、ミラー駆動制御部４８は、各列のメモリが０次のパターンを記憶している間に、各行をすべての行の組合せパターン、すなわち０次〜７次の行パターンを順次読み出し、これらの組合せパターンに従って各行のメモリに記憶させる。ミラー駆動部４６は、各ミラー素子４４を行と列とのメモリデータの積に従って傾斜させる。
【００２４】
ミラー駆動制御部４８は、列方向の０次の組合せパターンに対する各行についてすべての組合せパターンによる駆動が終了すると、各列のメモリに１次の組合せパターンを記憶させる。そして、ミラー駆動制御部４８は、各列のメモリが１次のパターンを記憶している間に、各行を０〜７次の行パターンに従って変化（傾斜）させる。このようにして、ミラー駆動制御部４８は、列と行とについてすべての組合せパターンに対応した駆動信号を出力する。すなわち、ミラー駆動制御部４８は、マイクロミラーアレイ４２がＮ×Ｎ個のミラー素子４４によって構成されている場合、Ｎ２個の切替え信号を出力する。これにより、マイクロミラーアレイ４２には、図５に示したようなＮ２個の駆動パターンが与えられる。なお、各ミラー素子４４に与えられる駆動信号は、行と列の組合せが「１」と「１」とである場合「１」、「１」と「−１」とである場合「−１」、「−１」と「−１」とである場合「１」である。
【００２５】
ミラー駆動制御部４８は、図６（１）に示したように、ミラー駆動部４６に組合せパターンの切替えに対応したマイクロミラーアレイ４２の駆動信号（駆動パルス）を出力するごとに、同図（２）に示したように、レーザ出力部３２に対してレーザ出力パルスを出力する。また、ミラー駆動制御部４８は、レーザ出力パルスを出力すると、同図（３）に示したようなサンプリングパルスを信号処理部５２に出力する。そして、レーザ出力部３２は、ミラー駆動部４８からレーザ出力パルスが入力すると、レーザ光３４を放射して被写体３６に励起光として照射する。レーザ光３４が入射した被写体３６は、蛍光プローブ（図示せず）などの蛍光体が励起されて蛍光３８を放射する。この蛍光３８は、レンズ系４０を介してマイクロミラーアレイ４２の面に入射し、被写体３６の像を結ぶ。
【００２６】
マイクロミラーアレイ４２に入射した蛍光３８は、傾斜しているミラー素子４４によって反射させられ、受信部６０または受信部６２に入射する。そして、受信部６０、６２は、反射光（光子）の検出信号Ｓ＋、Ｓ−を信号処理部５２の差動加算器７２に入力する（図３（１）参照）。差動加算器７２は、差動加算器７２は、非反転入力端子にＳ＋が入力すると、同図（２）に示したようにプラスのパルスを出力し、反転入力端子にＳ−が入力すると、マイナスのパルスを出力する。これらのパルスは、マイナスとプラスごとにＡ／Ｄ変換器７４によってサンプリング（検出）される。
【００２７】
ミラー駆動制御部４８は、レーザ出力部３２に出力タイミング信号を与えると、図６（３）のように、一定の時間間隔、例えば０．１ｎ秒ごとにサンプリングパルスを信号処理部５２に与える。信号処理部５２は、入力するサンプリングパルスに同期してＡ／Ｄ変換器７４の出力を読み込み、サンプリング番号を付して反射光量記憶部６６に書き込む。すなわち、サンプリングパルスは、時間の関数として記憶される。ミラー駆動制御部４８は、以下同様にしてすべての組合せパターンについての処理を終了すると、信号処理部５２に映像生成命令を与える。信号処理部５２の映像生成部６８は、反射光量記憶部６６に書き込まれたサンプリングデータを読み出し、これらのデータをアダマール逆変換し、各ミラー素子４４からの反射光量の状態、すなわち各ミラー素子４４への蛍光３８の入射状態を求めて二次元映像を生成する。なお、レーザ光３４は、ミラー素子４４の１つの組合せパターンについて複数回放射してもよい。
【００２８】
サンプリングされたディジタルなデータ数列｛Ｘ（ｍ）｝に対するアダマール変換は、次のように表される。
【数５】
2004212257.tif 000007
ただし、ここにＨ（ｋ）は、Ｎ行Ｎ列のアダマール行列であり、Ｘ（ｋ）、Ｙ（ｋ）は、Ｎ個の要素をもつ次のような行列ベクトルである。
【数６】
2004212257.tif 000008
【数７】
2004212257.tif 000009
ここに、数式５、数式６のＴは、転置を表す。
【００２９】
Ｈ（ｋ）は、直交行列であって、Ｎ行Ｎ列の単位行列をＥ（ｋ）とすると、
【数８】
2004212257.tif 000010
と書くことができる。そして、Ｈ（ｋ）の逆行列は、規格化因子を除けばそれ自身に等しいので、
【数９】
2004212257.tif 000011
と書くことができる。
【００３０】
上記の性質から、アダマール逆変換は、アダマール変換そのものと同じになり、次のように表すことができる。
【数１０】
2004212257.tif 000012
そして、二次元時間依存アダマール変換は、
【数１１】
2004212257.tif 000013
【数１２】
2004212257.tif 000014
と表される。従って、二次元時間依存アダマール逆変換は、
【数１３】
2004212257.tif 000015
【数１４】
2004212257.tif 000016
となる。ただし、Ｘ（ｋ）（ｔ）、Ｙ（ｋ）（ｔ）、Ｈ（ｋ）は、Ｎ×Ｎ行列である。また、ｋ＝ｌｏｇ２Ｎである。
【００３１】
このようにして、映像生成部６８は、反射光量記憶部６６から読み出したデータをアダマール逆変換し、マイクロミラーアレイ４２の各ミラー素子４４に入射した蛍光３８の量を求めて映像を生成し、表示部７０に出力して表示させ、また図示しないプリンタや記憶装置に出力する。
【００３２】
このように、実施の形態の時間分解二次元微弱光検出装置３０は、被写体３６からの蛍光３８をマイクロミラーアレイ４２に入射し、これをアダマール変換行列を構成する組合せパターンに従って２つの方向に反射し、その反射光量を検出して映像を求めるようにしているため、信号が減衰して劣化するのを防ぐことができ、非常に微弱な蛍光３８であっても鮮明な二次元映像を得ることができる。また、ミラー素子４４を切り替えて反射光量を測定するため、迅速な切り替えが可能であり、非常に短い時間間隔の二次元映像を得ることができる。従って、時間経過における被写体３６の動的変化を容易に把握することができる。しかも、各ミラー素子４４は、必ず＋側または−側に傾斜しているため、各サンプリングごとにマイクロミラーアレイ４２に入射した蛍光３８のほぼ１００％を検出することになり、検出効率が向上して迅速な映像の生成を行なうことができる。
【００３３】
なお、前記実施形態においては、励起光がレーザ光３４である場合について説明したが、赤外線や紫外線などであってもよい。また、直交変調パターンは、アダマール変調パターンでなくともよい。
【００３４】
なお、照射源を前記実施形態のレーザ出力部３２に代えてＸ線照射装置を用いる場合、シンチレータ板などの発光体にＸ線を当て、発光体が放射する光について上述の方法を適用することができる。
【００３５】
図７は、上記のようにして得られる時間分解二次元映像の例を示したものであって、同図に示したように、サンプリングパルスごとの二次元映像を求めることができる。すなわち、短い時間間隔の映像を容易に得ることができ、被写体の時間的変化を正確に把握することができる。
【００３６】
【発明の効果】
以上に説明したように、本発明によれば、多数の反射体を複数の組合せパターンに従って順次切り替えて駆動し、反射させた量を数学的な処理をすることにより、各反射体に入射した電磁波を求めることができ、映像を生成することができる。従って、従来のようにＭＣＰや光ファイバ、ＣＣＤカメラなどを使用する必要がなく、入射した電磁波の他の形態への変換（例えば、光−電気）に伴う信号の劣化を防ぐことができ、極めて微弱な電磁波から鮮明な二次元映像を容易に得ることができる。しかも、各マイクロミラーアレイのパターンごとに実時間で到来光のデータを高速（数Ｇサンプル／秒以上）に受信するようにしているため、ｎ秒以下の非常に短い時間間隔の時間分解二次元映像を得ることができる。
【図面の簡単な説明】
【図１】実施形態に係る時間分解二次元微弱光検出装置のブロック図である。
【図２】実施形態に係るマイクロミラーアレイの詳細説明図である。
【図３】実施形態に係る受光量検出部の詳細説明図と動作を説明する図である。
【図４】実施形態に係る組合せパターンの説明図である。
【図５】実施形態に係る組合せパターンの一例を示す図である。
【図６】実施形態の時間分解二次元微弱光検出装置の動作を説明するタイミングチャートである。
【図７】実施形態の時間分解二次元微弱光検出装置により得た映像の例を模式的に示す図である。
【図８】従来の時間分解二次元微弱光検出装置の一例の説明図である。
【符号の説明】
３０………時間分解二次元微弱光検出装置、３２………照射源（レーザ出力部）、３４………励起光（レーザ光）、３６………被写体、３８………電磁波（蛍光）、４２………マイクロミラーアレイ、４４………ミラー素子、４６………ミラー駆動部、４８………ミラー駆動制御部、５０………駆動パターン記憶部、５２………信号処理部、６０、６２………受信部、６４………受光検出部、６６………反射光量記憶部、６８………映像生成部、７６、７８………組合せパターン（アダマール変調パターン）。
【図１】
2004212257.tif 000017
【図２】
2004212257.tif 000018
【図３】
2004212257.tif 000019
【図４】
2004212257.tif 000020
【図５】
2004212257.tif 000021
【図６】
2004212257.tif 000022
【図７】
2004212257.tif 000023
【図８】
2004212257.tif 000024